(57)【要約】【課題】パネルを配列して構成されるブラインド間仕切り装置であって、外からの光を遮蔽するブラインドとしての機能、遮音、断熱等の機能を用途に応じて備えるように構成出来るブラインド間仕切り装置の提供。【解決手段】パネル２ａ，２ｂ…は上下に伸びる軸を中心として揺動可能にすると共に、一直線状に配列する場合には隣り合うパネル同士の側端に設けた戸当りエッジ６，６の戸当り片７ａ，７ｂが互いに噛み合い、そして片側の少なくとも１枚のパネル２ｉは移動することが出来るようにしている。【選択図】　　　　図１
2004116168.tif 000002
【特許請求の範囲】
【請求項１】
パネルを配列して構成されるブラインド間仕切り装置において、該パネルは上下に延びる軸を中心として回転可能にすると共に、一直線状に配列する場合には隣り合うパネル同士の側端が互いに噛み合い、そして、片側の少なくとも１枚のパネルは移動することが出来るように構成したことを特徴とするブラインド間仕切り装置。
【請求項２】
上記各パネルの軸と回転駆動装置と連動可能とした請求項１記載のブラインド間仕切り装置。
【請求項３】
上記各パネルの軸にはピニオンを取着し、そして各パネルのピニオンに噛み合うラックをスライド可能に取付けた請求項２記載のブラインド間仕切り装置。
【発明の詳細な説明】
【０００１】
【発明の属する技術分野】
本発明は間仕切りパネルを回動することで、光の遮蔽を行うように構成したブラインド間仕切り装置に関するものである。
【０００２】
【従来の技術】
外からの直射日光を遮蔽する為に、オフィスの窓にはブラインドが装着される場合が多く、又、一般住宅ではカーテンが使用されている。勿論、一般の住宅であっても、部屋の様式によってはブラインドが用いられることも多い。ところで、一口にブラインドと言っても、その形態は色々あり、代表的なブラインドとしては、複数枚の羽根を紐に水平に配列して吊下げ、紐を引っ張り操作することで該羽根の傾斜を変えることにより、光を遮蔽することが出来る。
【０００３】
又、複数枚の羽根を垂直に配列して吊下げ構成した縦型ブラインドが多用されている。このブラインドは羽根を回転させることで向きが変わり、外から光を入れたり、光を遮蔽したりすることが出来る。一方、生地を素材としたカーテンは一般にレールに吊設され、該レールに沿って開閉することで部屋に光を入れたり、光を遮蔽することが出来る。
【０００４】
ところで、これらブラインドやカーテンは上記のごとく閉鎖することで光を遮蔽することが可能であるが、光の遮蔽には限度があり、完全に遮蔽することは出来ない。まして、騒音を遮ったり、熱を遮断することは不可能である。近年、ビルの多用途化が進み、例えば、オフィス、コンピュータ室、診療室等のごとき、使用の目的が様々な用途として使われる場合が多い。
【０００５】
従って、各部屋は夫々の目的にあった空間でなくてならず、例えば、外からの光を完全に遮蔽しなくてはならない場合、外部への騒音を遮蔽しなくてはならない場合、又、内部で発生する熱を外部へ逃げないように遮断する必要がある場合、さらには外部の電磁波を遮る必要がある場合など、部屋としての色々な機能が要求される。
【０００６】
【発明が解決しようとする課題】
ところが、従来のブラインドやカーテンでは、上記目的を持って作られる部屋の機能を満たすことは出来ない。本発明が解決しようとする課題はこの問題点であり、間仕切り用のパネルにてブラインドとしての機能、又断熱，遮音などの機能を備えたブラインド間仕切り装置を提供する。
【０００７】
【課題を解決する為の手段】
本発明は従来の縦型ブラインドの羽根をパネルに置き換え、該パネルを回転可能に軸支して構成する。パネルには回転軸を上下方向に垂直に設け、該軸を中心として回転し、その向きによって外からの光の侵入を許容したり、光の侵入を遮蔽することが出来る。ここで、パネルの回転手段は特に限定しないが、例えば、各パネルの軸にピニオンを取着し、該ピニオンに噛み合うラックを設けることが出来る。
【０００８】
そこで、ラックをスライド移動させるならば、該ラックに噛み合うピニオンは回転し、同時にパネルの向きを変えることが出来る。この場合、ラックのスライド運動をモータで駆動する場合、又は手動にて操作する場合の何れでもよい。ところで、該パネルは部屋の用途によってその形態は異なり、本発明では具体的なパネル構成は限定しないことにする。
【０００９】
そして、本発明のブラインド間仕切り装置は、複数枚のパネルを配列すると共に回転可能に軸支するだけでなく、一部のパネル又は全パネルは移動パネルとしてその位置を上レールに沿って移動することが出来るようにしている。以下、本発明に係る実施例を図面に基づいて詳細に説明する。
【００１０】
【実施例】
図１は本発明に係るブラインド間仕切り装置の概略図であり、窓ガラス１，１・・に沿ってパネル２ａ，２ｂ・・が配列され、各パネル２ａ，２ｂ・・は軸を中心として回転することが出来るように取付けられている。同図において、パネル２ａ，２ｂ，２ｃは窓ガラス１に対して平行に配置されて、各パネル２ａ，２ｂ，２ｃの側端は隙間が生じないように互いに当接している。従って、これらパネル２ａ，２ｂ，２ｃは光の侵入を遮蔽することが出来る。
【００１１】
これに対してパネル２ｄ，２ｅ，２ｆ，２ｇ，２ｈ，２ｉは窓ガラス１に対して垂直に配置されている。従って、各パネル２ｄ，２ｅ・・間には空間が形成され、該空間からは光が侵入することが出来る。これら、窓ガラス１に対して垂直に配置されるパネル２ｄ，２ｅ・・の内、２枚のパネル２ｈ，２ｉは窓ガラス１に沿って設けたレールに沿って移動することが出来るように成っている。
【００１２】
図２はパネル２ａ，２ｂ，２ｃが一直線状に配列した場合の横断面図であり、隣り合う各パネル２ａ，２ｂ，２ｃの側端は互いに噛み合って、間に隙間が生じないように成る。本発明ではパネル２ａ，２ｂ，２ｃの具体的な構造は限定しないが、同図に示しているパネル２は充填材としてグラスウール３が用いられ、スチール板から成る表面材４，４にはガラスクロス５，５が貼着されている。そして、両側には戸当りエッジ６，６が取着されて、隣り合うパネル２ａ，２ｂ・・の戸当りエッジ６，６が互いに係合する。
【００１３】
図２（ｂ）には（ａ）のＡ部拡大図を示しているように、パネル側端に取着される戸当りエッジ６は、軸を中心として回転して一直線状に配列した際に互いに係合することが出来るように、中立軸Ｍ−Ｍを中心として両面側での形状が違い、一方の戸当り片７ａは外方向へ大きく突出し、反対側の戸当り片７ｂは小さく突出している。
【００１４】
そして、戸当り片７ａにはゴムなどの弾性部材８が取付けられ、同図に示すように該弾性部材８は反対側の戸当り片７ｂに当接することが出来る。すなわち、軸を中心にパネル２ａ，２ｂ・・が回転し、戸当り片７ａに取付けた弾性部材８が反対側の戸当り片７ｂに当接することが出来、衝撃を緩和すると共に、衝撃音を防止することが出来る。又、弾性部材８が戸当り片７ｂに当接することで、隙間の発生を防止する。
【００１５】
図３はパネル２の縦断面図を示している。（ａ）は軸を中心として回転すると共に移動可能なパネル２ｉ、（ｂ）は軸を中心として回転可能なパネル２ａである。
（ｂ）に示しているパネル２ａの上端には下側が開口したコ型断面の吊具９が取着され、該吊具９から上方へ延びる吊ボルト軸１０の上端が天井梁１１の軸受けに止着されている。すなわち、パネル２ａは吊ボルト軸１０によって吊設されている。
【００１６】
一方パネル２ａの下端には下軸１２を下方へ延ばし、該下軸１２の中心軸に取着されて下方へ延びる軸ピン２１はベアリング１３にて位置決め・支持されている。そして、下軸１２にはピニオン１４が取着され、該ピニオン１４が回転するならば下軸１２と共にパネル２ａも回転することが出来るように取付けられている。ここで、上記吊ボルト軸１０は天井梁１１に吊設されているが、回転可能となっている。
【００１７】
上記ベアリング１３は床に敷設されている床レール１５に取付けられ、又該床レール１５にはラック１６が設けられている。ラック１６は床レール１５に沿って延び、下軸１２に取着されているピニオン１４と噛み合っていて、その為にラック１６がスライドするならばピニオン１４は回転し、同時にパネル２ａも回転する。
【００１８】
一方、図３（ａ）に示すパネル２ｉの場合、該パネル２ｉは軸を中心に回転することが出来ると共に、床レール１５及び天井レールに沿って移動することが出来る。天井梁１１の下側には天井レール１７が固定され、該天井レール１７には吊車１８が移動可能に遊嵌している。そして、該吊車１８から吊ボルト軸１９が下方へ延び、吊ボルト軸１９の下端にはパネル２ｉの上端に取着されている吊具９が連結し、該吊ボルト軸１９にてパネル２ｉは吊設されている。
【００１９】
パネル２ｉの下端部の構造はパネル２ａの場合とほぼ同じであり、パネル２ｉの下端には下軸１２を下方へ延ばし、該下軸１２の中心穴に嵌って下方へ延びる下軸ピン２０はベアリング１３にて位置決め・支持されている。そして、下軸１２にはピニオン１４が取着され、該ピニオン１４が回転するならば下軸１２と共にパネル２ｉも回転することが出来るように取付けられている。そこで、吊ボルト軸１９は吊車１８に吊設されているが、回転可能となっている。
【００２０】
上記ベアリング１３は床に敷設されている床レール１５に取付けられ、又該床レール１５にはラック１６が設けられている。ラック１６は床レール１５に沿って延び、下軸１２に取着されているピニオン１４と噛み合っていて、その為にラック１６がスライドするならばピニオン１４は回転し、同時にパネル２ｉも回転する。
【００２１】
ところで、パネル２ａに取付けられて下方へ延びる軸ピン２１は下軸１２に固定されているが、パネル２ｉの下軸ピン２０はパネル２ｉを貫通して上方へ延び、下フランス落し２２と連結している。又、上フランス落し２３には上軸ピン２４が連結し、該上軸ピン２４はパネル２ｉを貫通して吊ボルト軸１９から吊車１８を通って、天井梁１１へ達している。
【００２２】
同図は下軸ピン２０が降下してベアリング１３に嵌り、又上軸ピン２４は上昇して天井梁１１の軸受２５に嵌合している場合である。従って、この状態ではパネル２ｉは上下軸ピン２０，２４を中心として回転することは出来るが、移動することは不可能である。そこで、移動する場合には、下フランス落し２２を持ち上げて下軸ピン２０を上昇し、上フランス落し２３を下げて上軸ピン２４を降下させる必要がある。上軸ピン２４が軸受２５から外れ、下軸ピン２０がベアリング１３から外れたところで、パネル２ｉは吊車１８にて天井レール１７に沿って移動できる。
【００２３】
図１において、パネル２ｈ，２ｉの２枚が移動できる構造としているが、全てのパネル２ａ，２ｂ・・を移動可能な構造として構成することもある。パネル２ａ，２ｂ・・が移動して片隅に収納されることで、外からの明かりを遮ることなく、必要に応じて遮光パネルとして利用する。勿論、パネル構造を変えることで、遮光のみならず、遮音、断熱など用途によって色々な目的に使用可能である。
【００２４】
図４はパネル２ａ，２ｂ・・を回転する為の回転駆動装置を示す具体例である。勿論、回転駆動装置は色々ある為に、同図に示す場合に限定するものではない。床レール１５に備えられているラック１６は一端が軸２６に軸支されて長く延び、該軸２６を中心として揺動可能となっている。そして、先端にはツマミ２７が取付けられ、該ツマミ２７をもってラック２６を揺動出来る。
【００２５】
従って、ラック１６が全てのパネル２ａ，２ｂ・・のピニオン１４，１４・・と噛み合った状態で長手方向へ移動するならば、各ピニオン１４，１４・・は回転し、同時にパネル２ａ，２ｂ・・も回転してその向きを変えることが出来る。
ここで、ラック１６の揺動軸２６は床レール１５に形成した長穴に遊嵌して移動可能としている。
【００２６】
パネル２ｉを移動する場合には、ラック１６をピニオン１４から外して行う。
以上述べたように、本発明のブラインド間仕切り装置は、複数枚のパネルを回転可能に取付けると共に、少なくとも１枚のパネルを移動できるようにしたものであり、次のような効果を得ることが出来る。
【００２７】
【発明の効果】
本発明のブラインド間仕切り装置は複数枚のパネルを回転可能に取付け・配列したものであり、各パネルを一直線状に配列することでガラス窓からの明かりを遮蔽することが出来る。又、適度な明かりを部屋に入れる場合には、各パネル間に僅かな隙間が形成されるように傾斜して配列する。パネルは従来の縦型ブラインドのような細長くて薄いプラスチック板ではなく、丈夫で剛性も高い大きな板状態であるために、オフィスであるならば内面に書類などを貼り付ける掲示板としても利用できる。
【００２８】
又、単にブラインドとしての遮光のもならず、遮音や断熱用の隔離板として機能することも可能である。そして、本発明のブラインド間仕切り装置は、パネルが移動可能であるために、移動することでガラス窓との間に大きな空間を作ることが出来る。全てのパネルを移動することで、片側へ収納してガラス窓を全面開放し得る。
【図面の簡単な説明】
【図１】本発明に係るブラインド間仕切り装置の概略図。
【図２】ブラインド間仕切り装置の横断面図。
【図３】パネルの縦断面図。
【図４】パックとピニオンの関係。
【符号の説明】
１　ガラス窓
２　パネル
３　グラスウール
４　表面材
５　ガラスクロス
６　戸当りエッジ
７　戸当り片
８　弾性部材
９　吊具
１０　吊ボルト軸
１１　天井梁
１２　下軸
１３　ベアリング
１４　ピニオン
１５　床レール
１６　ラック
１７　天井レール
１８　吊車
１９　吊ボルト軸
２０　下軸ピン
２１　軸ピン
２２　下フランス落し
２３　上フランス落し
２４　上軸ピン
２５　軸受
２６　軸
【図１】
2004116168.tif 000003
【図２】
2004116168.tif 000004
【図３】
2004116168.tif 000005
【図４】
2004116168.tif 000006